(57)【特許請求の範囲】
【請求項１】
屋内フロアと段差を介し構築された屋外フロアの床構造であって、多数枚の単位パネルを一平面に集合して形成される上側床パネルと、多数枚の単位パネルを一平面に集合して形成される下側床パネルとを備え、該下側床パネルを上記屋外フロアを形成する床下地面上に高さ調整機能を有する下部嵩上げ脚で支持し、該下部嵩上げ脚で下側床パネルと床下地面間に連続する下部空間を形成すると共に、上記上側床パネルを下側床パネル上に上部嵩上げ脚で支持し、該上部嵩上げ脚で下側床パネルと上側床パネル間に連続する上部空間を形成し、上記下側床パネルの上下位置を上記下部嵩上げ脚を介して調整することにより、上記上側床パネルと上記屋内フロアとの段差を吸収する構成とし、更に上記下側床パネルの単位パネルを多孔板で形成すると共に、上記上側床パネルの対向する単位パネルの周縁部間に外部と連通する隙間を形成し、水分を該隙間を介して上部空間から上記下側床パネルの多孔を経て下部空間側へ排水する構成としたことを特徴とする床構造。
【請求項２】
上記下部嵩上げ脚の下側床パネルを支持する上面に第一緩衝プレートを配し、該下部嵩上げ脚の床下地面に当接する下面に第二緩衝プレートを配したことを特徴とする請求項１記載の床構造。
【請求項３】
上記下側床パネルの単位パネルの下面には多数の凹空間部が一定の間隔をおいて形成されていることを特徴とする請求項１乃至請求項２のいずれかに記載の床構造。
【請求項４】
サッシレールの側面と上側床パネルの側面間に排水用の空隙を形成したことを特徴とする請求項１乃至請求項３のいずれかに記載の床構造。
【請求項５】
上記第一緩衝プレートは、軟質な合成樹脂で一体に成形されて、下部嵩上げ脚の上部に嵌合される基体を有し、該基体の上面に切断可能な複数のリブ壁を立設して、該各リブ壁で下側床パネルの単位パネルを位置決めすることを特徴とする請求項２記載の床構造。
【請求項６】
上記第二緩衝プレートは、軟質な合成樹脂で一体に成形されて、床下地面上に敷設される基体を有し、該基体の周縁に方向性を示す部分が付されて、床下地面の勾配を水平に調整することを特徴とする請求項２記載の床構造。
【発明の詳細な説明】
【技術分野】
【０００１】
本発明は、例えば、マンションやビルなどにおいて、屋内フロアと段差を介して構築されるベランダやバルコニーなどの屋外フロアに設けられる床構造に関し、詳しくは、屋内外のバリアフリーを可能とする床構造に関するものである。
【背景技術】
【０００２】
一般に、上記屋外フロアたるベランダやバルコニーなどに対しては、紫外線を遮断して、ベランダやバルコニーの防水層を熱や劣化から守るために、その床下地面に多数枚のパネルが縦横に連続して敷設されている。
【０００３】
このパネルには、特許文献１に示すように、合成樹脂製の座板と該座板の上面で成形硬化され同上面に層着された表面材とを有し、該座板の上面に表面材中に埋設される多数のアンカーを突設し、座板の下面にパネル自体を支持する多数の支持脚を突設したものが使用されて、ベランダなどの床下地面に該各支持脚を介して敷設されるものである。
【先行技術文献】
【特許文献】
【０００４】
【特許文献１】特開２００９−１５５９５６号公報
【発明の概要】
【発明が解決しようとする課題】
【０００５】
しかし、斯かる従来の床構造は、上記パネルをベランダなどの床下地面に集合して敷設するものであるが、この場合には、床下地面上に直に置き敷きして広面積の床を構築するものであるから、当該ベランダなどに敷設されたパネルと屋内フロアとの間に段差が生じていると、屋内外のバリアフリーが得られなくなって、高齢者や障害者にとっては障害となる。
【課題を解決するための手段】
【０００６】
本発明は、斯かる従来の床構造が抱える課題を有効に解決するために開発されたもので、請求項１記載の発明は、屋内フロアと段差を介し構築された屋外フロアの床構造であって、多数枚の単位パネルを一平面に集合して形成される上側床パネルと、多数枚の単位パネルを一平面に集合して形成される下側床パネルとを備え、該下側床パネルを上記屋外フロアを形成する床下地面上に高さ調整機能を有する下部嵩上げ脚で支持し、該下部嵩上げ脚で下側床パネルと床下地面間に連続する下部空間を形成すると共に、上記上側床パネルを下側床パネル上に上部嵩上げ脚で支持し、該上部嵩上げ脚で下側床パネルと上側床パネル間に連続する上部空間を形成し、上記下側床パネルの上下位置を上記下部嵩上げ脚を介して調整することにより、上記上側床パネルと上記屋内フロアとの段差を吸収する構成とし、更に上記下側床パネルの単位パネルを多孔板で形成すると共に、上記上側床パネルの対向する単位パネルの周縁部間に外部と連通する隙間を形成し、水分を該隙間を介して上部空間から上記下側床パネルの多孔を経て下部空間側へ排水する構成としたことを特徴とする。
【０００７】
請求項２記載の発明は、請求項１を前提として、上記下部嵩上げ脚の下側床パネルを支持する上面に第一緩衝プレートを配し、該下部嵩上げ脚の床下地面に当接する下面に第二緩衝プレートを配したことを特徴とする。
【０００８】
請求項３記載の発明は、請求項１乃至請求項２を前提として、上記下側床パネルの単位パネルの下面には多数の凹空間部が一定の間隔をおいて形成されていることを特徴とする。
【０００９】
請求項４記載の発明は、請求項１乃至請求項３を前提として、サッシレールの側面と上側床パネルの側面間に排水用の空隙を形成したことを特徴とする。
【００１０】
請求項５記載の発明は、請求項２を前提として、上記第一緩衝プレートは、軟質な合成樹脂で一体に成形されて、下部嵩上げ脚の上部に嵌合される基体を有し、該基体の上面に切断可能な複数のリブ壁を立設して、該各リブ壁で下側床パネルの単位パネルを位置決めすることを特徴とする。
【００１１】
請求項６記載の発明は、請求項２を前提として、上記第二緩衝プレートは、軟質な合成樹脂で一体に成形されて、床下地面上に敷設される基体を有し、該基体の周縁に方向性を示す部分が付されて、床下地面の勾配を水平に調整することを特徴とする。
【発明の効果】
【００１２】
依って、請求項１記載の発明にあっては、床自体を上側床パネルと下側床パネルの二段構造となして、下側床パネルを床下地面上に高さ調整機能を有する下部嵩上げ脚で支持し、上側床パネルを下側床パネル上に上部嵩上げ脚で支持して、上記下側床パネルの上下位置を上記下部嵩上げ脚を介して調整することにより、上側床パネルと屋内フロアとの段差を吸収する関係で、例え、上側床パネルと屋内フロアとの間に段差が生じていても、下部嵩上げ脚の高さ調整機能で、当該段差を簡単に吸収することが可能となるので、屋内外に亘るバリアフリーを容易に構築できる。
【００１３】
又、上部嵩上げ脚で下側床パネルと上側床パネル間に連続する上部空間を形成すると共に、下部嵩上げ脚で下側床パネルと床下地面間に連続する下部空間を形成する関係で、上下二段に亘って断熱効果と遮音効果を有する床構造が提供できる。
【００１４】
更に、下側床パネルの単位パネルが多孔板で形成され、且つ上側床パネルの対向する単位パネルの周縁部間に外部に連通する隙間を形成した関係で、上側床パネル上に降った雨水などを当該隙間を介して上部空間から上記下側床パネルの多孔を経て下部空間側へ導けるので、良好な排水性が十分に確保できる。
【００１５】
請求項２記載の発明にあっては、下部嵩上げ脚の上下面に第一・第二の緩衝プレートが配されている関係で、歩行音を減少して不陸に対応できる。
【００１６】
請求項３記載の発明にあっては、下側床パネルの単位パネルの下面に多数の凹空間部が形成されている関係で、当該単位パネル自体の軽量化が期待できることは言うまでもないが、特に、施工現場で単位パネルを切断する必要が生じたような場合には、この凹空間部の存在によって、単位パネルが肉薄となるので、単位パネルを容易に切断することが可能となり、加工性が向上する。
【００１７】
請求項４記載の発明にあっては、サッシレールの側面と上側床パネルの側面間に排水用の空隙を形成した関係で、この空隙を利用して、雨水などを下側床パネルを経て床下地面側に効率良く排水できるので、例え、バリアフリーであっても、屋内フロア側に雨水などが浸入することがない。
【００１８】
請求項５記載の発明にあっては、下部嵩上げ脚の下側床パネルを支持する上面に軟質な合成樹脂で成形された第一緩衝プレートを配した関係で、歩行音の減少と不陸に対応できると共に、基板の上面に切断可能な複数のリブ壁を設けた関係で、該リブ壁を適宜選択すれば、下側床パネルを形成する単位パネルを確実に位置決めできる。
【００１９】
請求項６記載の発明にあっては、下部嵩上げ脚の床下地面に当接する下面に柔軟な合成樹脂で成形された第二緩衝プレートを配した関係で、歩行音の減少と不陸に対応できると共に、基体の周縁に方向性を示す部分を付した関係で、基体の敷設方向を確認でき、作業性が向上し、且つ、床下地面の勾配を容易に調整できる。
【図面の簡単な説明】
【００２０】
【図１】（Ａ）は上側床パネルを形成する上単位パネルの平面図、（Ｂ）は同正面図である。
【図２】（Ａ）は上単位パネルが有する座板の平面図、（Ｂ）は同底面図である。
【図３】連結具を示す斜視図である。
【図４】上単位パネル同士が連結具を介して連結された要部底面図である。
【図５】（Ａ）は下側床パネルを形成する下単位パネルの平面図、（Ｂ）は同底面図である。
【図６】（Ａ）は図５ＡのＡ−Ａ線断面図、（Ｂ）は図５ＡのＢ−Ｂ線断面図である。
【図７】（Ａ）は高さが低く調整された下部嵩上げ脚の一例を示す正面図、（Ｂ）は高さが高く調整された下部嵩上げ脚の一例を示す正面図である。
【図８】（Ａ）は位置決めプレートの斜視図、（Ｂ）は図８ＡのＣ−Ｃ線断面図である。
【図９】（Ａ）は勾配の大きな場所で使用される傾斜調整プレートを示す平面図、（Ｂ）は同側面図、（Ｃ）は勾配の小さな場所で使用される傾斜調整プレートを示す平面図、（Ｄ）は同側面図である。
【図１０】一般床下地面に勾配の小さな傾斜調整プレートを配置した状態を示す要部斜視図である。
【図１１】床下地面の排水溝部に勾配の大きな傾斜調整プレートを配した状態を示す要部斜視図である。
【図１２】各傾斜調整プレートに下部嵩上げ脚を据え付けて、水平器でレベルを調整している状態を示す要部斜視図である。
【図１３】各下部嵩上げ脚の昇降体に位置決めプレートを嵌合した状態を示す要部斜視図である。
【図１４】位置決めプレートにおけるリブ壁の使用例を示す要部平面図である。
【図１５】（Ａ）・（Ｂ）は位置決めプレートにおけるリブ壁の他の使用例を示す要部平面図である。
【図１６】下側床パネルをベランダの床下地面に敷設した状態を示す要部斜視図である。
【図１７】下側床パネル上に支持される上単位パネルを連結具を介して連結する状態を示す要部斜視図である。
【図１８】下側床パネル上に上単位パネルを敷設する作業を示す要部斜視図である。
【図１９】上側床パネル及び下側床パネルとサッシレールの関係を示す要部断面図である。
【図２０】完成したバリアフリーの床構造を示す要部斜視図である。
【図２１】同バリアフリーの床構造を示す断面図である。
【図２２】一般床下地面側の同要部拡大断面図である。
【図２３】排水溝部側の同要部拡大断面図てある。
【発明を実施するための最良の形態】
【００２１】
本発明は、床自体を上側床パネルと下側床パネルの二段構造となして、下側床パネルを床下地面上に高さ調整機能を有する下部嵩上げ脚で支持し、上側床パネルを下側床パネル上に上部嵩上げ脚で支持して、上記下側床パネルの上下位置を上記下部嵩上げ脚を介して調整することにより、上側床パネルと屋内フロアとの段差を吸収して、屋内外に亘るバリアフリーを構築せんとするものである。
【実施例】
【００２２】
以下、本発明を図示する好適な実施例に基づいて詳述すれば、該実施例に係る床構造は、マンションやビルなどの屋内フロアと段差を介して構築されたベランダやバルコニーなどの屋外フロアを対象として開発されたもので、多数枚の上単位パネル１を一平面に集合して形成される上側床パネル１００と、多数枚の下単位パネル２を一平面に集合して形成される下側床パネル２００とを備え、該下側床パネル２００を上記屋外フロアを形成する床下地面３０上に高さ調整機能を有する下部嵩上げ脚３で支持し、該下部嵩上げ脚３で下側床パネル２００と床下地面３０間に連続する下部空間Ｓ２を形成すると共に、上記上側床パネル１００を下側床パネル２００上に上部嵩上げ脚７で支持し、該上部嵩上げ脚７で下側床パネル２００と上側床パネル１００間に連続する上部空間Ｓ１を形成し、上記下側床パネル２００の上下位置を上記下部嵩上げ脚３を介して調整することにより、上記上側床パネル１００と上記屋内フロアとの段差を吸収できる構成となっている。
【００２３】
これを詳しく説明すると、上側床パネル１００を一平面に集合して形成する上単位パネル１は、図１・図２に示す如く、合成樹脂製の座板４と該座板４の上面で成形硬化され同上面に層着された表面材５とを有し、座板４の上面に表面材５中に埋設されて両者４・５を連結する多数のアンカー６を突設し、座板４の下面に上単位パネル１自体を支持する多数の上部嵩上げ脚７を突設したもので、上側床パネル１００が下側床パネル２００の上面に支持されると、該各上部嵩上げ脚７をもって、上側床パネル１００の下面と下側床パネル２００の上面間に上記上部空間Ｓ１を連続して形成する構成となっている。尚、上記表面材５としては、セメントと細骨材を混練したセメント混練材を使用する。
【００２４】
又、隣接する上単位パネル１同士は連結具８を介して下側床パネル２００上で縦横に連続して連結されるもので、当該連結具８は、図３に示す如く、合成樹脂の一体成型品で、一方の上単位パネル１の下面に突設された上部嵩上げ脚７群中、座板４の辺縁部下面に配置された一対の第一上部嵩上げ脚７を嵌合する一対の第一連結リング９と、他方の上単位パネル１の下面に突設された上部嵩上げ脚７群中、座板４の辺縁部下面に配置された一対の第二上部嵩上げ脚７を嵌合する一対の第二連結リング１０とを有し、上記一対の第一連結リング９同士と一対の第二連結リング１０同士はアーム１１で連結され、且つ、一方の第一連結リング９と一方の第二連結リング１０、他方の第一連結リング９と他方の第二連結リング１０とは個々に対向して結合されている。
【００２５】
そして、この連結具８を用いて隣接する上単位パネル１同士を連結した場合には、図４に示す如く、各上単位パネル１の対向する座板４の辺縁部間に外部と連通する排水用の隙間１２が形成され、上単位パネル１上に降った雨水などをこの隙間１２を介して上部空間Ｓ１から下側床パネル２００側に排水できる構成となっている。
【００２６】
下側床パネル２００を一平面に集合して形成する下単位パネル２は、上単位パネル１の６倍の面積を有する多孔板のレジンコンクリートから成り、図５・図６に示す如く、その上面側には多数の排水孔１３が形成され、同下面側には外部に開放された多数の凹空間部１４が規則的に間隔をおいて形成されて、該各凹空間部１４内に上記対応する５個の排水孔１３が連通しているが、該各排水孔１３は逆漏斗状に付形され、凹空間部１４は逆椀状に付形されている。
【００２７】
又、多数の各凹空間部１４を規則的に画成するその周囲壁内に補強鉄筋１５を縦横に連続して埋め込んで、上単位パネル１を支持する下単位パネル２自体の強度の向上を図る構成となっている。
【００２８】
この下単位パネル２と上記床下地面３０の間に介設される高さ調整機能を有する下部嵩上げ脚３は、図７に示す如く、昇降体１６とベース体１７の２部品から成り、昇降体１６の下面側には雄ネジ部１８が垂設され、ベース体１７の上面側には雌ネジ部１９が立設されて、該雌ネジ部１９と雄ネジ部１８の螺合により、下単位パネル２（下側床パネル２００）を支持する下部嵩上げ脚３の高さを無段階に調整できる構成となっている。尚、下部嵩上げ脚３は、上下の単位パネル１・２を支持する必要上、硬質なポリプロピレン系樹脂で成形されている。
【００２９】
従って、屋内外に亘りバリアフリーを構築する場合には、上記各下部嵩上げ脚３をその据付位置において高さを調整しながら配置し、各下単位パネル２を個々に支持すれば、該下単位パネル２で形成された下側床パネル２００の上下位置が正確に決定できるので、これにより、上側床パネル１００と上記屋内フロアとの段差を吸収して、バリアフリーが簡単に構築できる。
【００３０】
又、本実施例では、上記各下部嵩上げ脚３の昇降体１６の上面と下単位パネル２の下面間に第一緩衝プレートたる位置決めプレート２０を配し、同各下部嵩上げ脚３のベース体１７の下面と床下地面３０間に第二緩衝プレートたる傾斜調整プレート２１・２２を配する。
【００３１】
前者の位置決めプレート２０は、図８に示す如く、下部嵩上げ脚３の昇降体１６に多少の遊びをもって嵌合される円盤状の基体２３を有し、該基体２３の上面に切断可能な４枚のリブ壁２４を十字状に立設して、必要に応じて、この十字状のリブ壁２４を個々に切断しながら、当該リブ壁２４を下単位パネル２の側面に当接させることにより、各下単位パネル２を下部嵩上げ脚３に対して位置決めしながら支持できる構成となっている。尚、この位置決めプレート２０は、軟質な熱可塑性エラストマー系樹脂で一体成形されている。
【００３２】
後者の傾斜調整プレート２１・２２は、ベランダなどの床下地面３０の勾配を水平に調整するために、上記下部嵩上げ脚３のベース体１７の下面と床下地面３０間に配置されるもので、図９のＡ・Ｂに示す２１は、比較的勾配の大きな排水溝部３０ｂ側で使用されるもので、その基体２５に水上及び水下を示す目印模様２６が付され、同図のＣ・Ｄに示すもの２２は、比較的勾配の小さな一般床下地面３０ａ側で使用されるもので、円弧状の基板２７に水上を示す直線部２８が付されている。又、この各傾斜調整プレート２１・２２も、位置決めプレート２０と同様に、軟質な熱可塑性エラストマー系樹脂で一体成形されている。
【００３３】
従って、本実施例にあっては、上記下部嵩上げ脚３の上面と下単位パネル２の下面間に軟質の位置決めプレート２０を配し、同下部嵩上げ脚３の下面と床下地面３０間に軟質の各傾斜調整プレート２１・２２を配する構成を採用したので、その軟質性を積極的に利用して、歩行音の減少と不陸に十分に対応できる。
【００３４】
又、下単位パネル２と床下地面３０の間に下部嵩上げ脚３を介設して、該各下単位パネル２上に上単位パネル１を支持すると、該上単位パネル１の下面と下単位パネル２の上面間には、上記した上部嵩上げ脚７の高さに応じた上部空間Ｓ１が連続して形成され、下単位パネル２の下面と床下地面３０間には、上記下部嵩上げ脚３の高さに応じた下部空間Ｓ２が連続して形成されて、いずれの空間Ｓ１・Ｓ２も断熱効果と遮音効果を発揮する（図２２・図２３参照）。
【００３５】
依って、上記構成の床構造で屋内外に亘るバリアフリーを構築する場合には、予め、ベランダなどの屋外フロアに防水層と防水保護シートを施して床下地面３０を形成し、図１０に示す如く、勾配の小さな一般床下地面３０ａに対しては、各下部嵩上げ脚３の据付位置に、上記図９のＣ・Ｄに示す傾斜調整プレート２２を設置する。又、勾配の大きな排水溝部３０ｂ側に対しては、やはり、その下部嵩上げ脚３の据付位置に、図１１に示す如く、上記図９のＡ・Ｂに示す傾斜調整プレート２１を設置して、床下地面３０全体の水平を得る。
【００３６】
そして、上記の各傾斜調整プレート２１・２２に対して下部嵩上げ脚３を個々に据え付けることとなるが、この場合には、バリアフリーとするための段差を考慮して、下部嵩上げ脚３の仕上がり高さを決定し、図１２に示す如く、水平器３１でレベルを調整しながら各下部嵩上げ脚３を対応する各傾斜調整プレート２１・２２上に据え付ける。
【００３７】
その後、今度は、図１３に示す如く、据え付けられた各下部嵩上げ脚３の昇降体１６に下単位パネル２の位置固定を行なうための位置決めプレート２０を嵌合する。尚、この場合には、本実施例にあっては、原則的に、６枚の位置決めプレート２０（６個の下部嵩上げ脚３）で１枚の下単位パネル２を支持する関係で、この１枚の下単位パネル２の前後・左右の４端部で使用される位置決めプレート２０は、前後・左右に隣接する下単位パネル２の端部をも支持する必要上、図８のＡに示すように、その基板２３の上面に４枚のリブ壁２４を十字状に立設したものを使用するが、連結継ぎ目のない側面で使用されるものは、図１４に示す如く、交差する２枚のリブ壁２４を切断して、残りの２枚のリブ壁２４で側面を支持する。
【００３８】
尚、上記位置決めプレート２０は、斯かる使用態様に限定されるものではなく、ベランダなどの周縁部の据付個所などによっては、図１５に示す如く、１本のリブ壁２４を切断して、残りの３本のリブ壁２４で隣接する下単位パネル２同士を支持したり、或いは、全てのリブ壁２４を切断して、その基板２３の円盤状上面で下単位パネル２の下面を支持することも可能である。
【００３９】
又、ベランダなどの周縁部に沿って設置される下単位パネル２について、その設置スペースを考慮して、基本となる寸法よりも小さくする必要がある場合には、その設置スペースに合わせて切断して使用することとなるが、この下単位パネル２はその下面側に多数の凹空間部１４が形成されて肉薄となっているので、切断加工が容易となる。そして、この切断加工された下単位パネル２を含めて、図１６に示す如く、ベランダ全体に下単位パネル２で一平面に集合して形成された下側床パネル２００を敷設する。
【００４０】
ベランダなどの屋外フロアの床下地面３０に下側床パネル２００を敷き詰めた後は、図１７・図１８に示す如く、今度は、この１枚の下単位パネル２毎に６枚の上単位パネル１を支持して縦横に連続させることとなるが、この場合には、上記した連結具８を各上単位パネル１の２辺に取り付けながら隣接する上単位パネル１同士を順に連結していく。
【００４１】
又、上単位パネル１についても、ベランダなどの周縁部との関係で端部加工を行なう必要があるので、この場合も、下単位パネル２と同様に、その設置スペースに合わせて切断して使用することとなるが、特に、サッシレール３４の側面と上単位パネル１の側面間には、図１９に示す如く、角型バッカー３２を使用して一定の隙間（実施例では５ｍｍ）を確保して、これを排水用空隙３３として利用する。尚、この場合には、排水効率を図るために、図示する如く、下単位パネル２の側面にも角型バッカー３２を貼着して同等の空隙３３を確保する。
【００４２】
これにより、図２０・図２１に示す如く、各上単位パネル１の目地通りやガタを確認して、上単位パネル１をその多数の上部嵩上げ脚７を介して対応する下側床パネル２００上に敷設すれば、上側床パネル１００と上記屋内フロアとの段差を吸収して、屋内外側をバリアフリーとした床構造が簡単に構築される。
【００４３】
しかも、斯かる構築状態にあっては、既述した如く、連結具８の寸法・形状などの関係で、各上単位パネル１の対向する座板４の辺縁部間に外部と連通する排水用の隙間１２が形成されることとなるので、上単位パネル１上に降った雨水などは、この排水用の隙間１２を介して上部空間Ｓ１から下単位パネル２に形成されている多数の排水孔１３と、各下単位パネル２の対向縁に位置するリブ壁２４の肉厚分の隙間とから下部空間Ｓ２に導かれ、床下地面３０に流れ込んで効率良く排水されることとなる。
【００４４】
又、図２２・図２３に示す如く、多数の上部嵩上げ脚７の存在により、上側床パネル１００の下面と下側床パネル２００の上面間には上部空間Ｓ１が連続して形成され、多数の下部嵩上げ脚３の存在により、下側床パネル２００の下面と床下地面３０間には下部空間Ｓ２が連続して画成されるので、この両空間Ｓ１・Ｓ２の作用で、断熱効果と遮音効果も大いに期待できる。
【００４５】
更に、下部嵩上げ脚３の介設に際しては、下単位パネル２との間に軟質な熱可塑性エラストマー系樹脂から成る位置決めプレート２０（第一緩衝プレート）を配し、床下地面３０との間に同じく軟質な熱可塑性エラストマー系樹脂から成る傾斜調整プレート２１・２２（第二緩衝プレート）を配した関係で、歩行音の減少と不陸に十分に対応できる。
【００４６】
又、サッシレール３４の側面と上側床パネル１００及び下側床パネル２００の側面間には、角型バッカー３２を使用して一定の隙間を確保されているので、この空隙を利用して、雨水などを床下地面側に効率良く排水できるので、例え、バリアフリーであっても、屋内フロア側に雨水などが浸入することがない。
【産業上の利用可能性】
【００４７】
本発明に係る床構造は、多数枚の単位パネルを一平面に集合して形成される上側床パネルと、多数枚の単位パネルを一平面に集合して形成される下側床パネルの二段構造となして、下側床パネルの上下位置を下部嵩上げ脚を介して調整することにより、上側床パネルと屋内フロアとの段差を吸収して、屋内外に亘るバリアフリーを構築できるので、これを屋内フロアと段差を介して構築されるベランダなどの屋外フロアの床構造として応用すれば、頗る好都合なものとなる。
【符号の説明】
【００４８】
１      上単位パネル
２      下単位パネル
３      下部嵩上げ脚
４      座板
５      表面材
６      アンカー
７      上部嵩上げ脚
８      連結具
９      第一連結リング
１０    第二連結リング
１１    アーム
１２    隙間
１３    排水孔
１４    凹空間部
１５    補強鉄筋
１６    昇降体
１７    ベース体
１８    雄ネジ部
１９    雌ネジ部
２０    位置決めプレート（第一緩衝プレート）
２１    傾斜調整プレート（第二緩衝プレート）
２２    傾斜調整プレート（第二緩衝プレート）
２３    基体
２４    リブ壁
２５    基体
２６    目印模様
２７    基体
２８    直線部
３０    床下地面
３０ａ  一般床下地面
３０ｂ  排水溝部
３１    水平器
３２    バッカー
３３    空隙
３４    サッシレール
１００  上側床パネル
２００  下側床パネル
Ｓ１    上部空間
Ｓ２    下部空間
【図１】
0005373000.tif 000002
【図２】
0005373000.tif 000003
【図３】
0005373000.tif 000004
【図４】
0005373000.tif 000005
【図５】
0005373000.tif 000006
【図６】
0005373000.tif 000007
【図７】
0005373000.tif 000008
【図８】
0005373000.tif 000009
【図９】
0005373000.tif 000010
【図１０】
0005373000.tif 000011
【図１１】
0005373000.tif 000012
【図１２】
0005373000.tif 000013
【図１３】
0005373000.tif 000014
【図１４】
0005373000.tif 000015
【図１５】
0005373000.tif 000016
【図１６】
0005373000.tif 000017
【図１７】
0005373000.tif 000018
【図１８】
0005373000.tif 000019
【図１９】
0005373000.tif 000020
【図２０】
0005373000.tif 000021
【図２１】
0005373000.tif 000022
【図２２】
0005373000.tif 000023
【図２３】
0005373000.tif 000024